(57)【要約】【課題】着装時にマスク本体と顔面との間に介在する漏れ防止部を備えたマスクにおいて、漏れ率を効果的に低減できるようにする。【解決手段】マスク１０の漏れ防止部１４は、マスク本体１２に重ね合わせ可能に配置される第１シート部分２２と、第１シート部分をマスク本体に接続する第１接続部２４と、第１シート部分に重ね合わせ可能に配置される第２シート部分２６と、第１接続部とは異なる第２接続部２８であって、第２シート部分を第１シート部分に接続する第２接続部２８と、第１接続部及び第２接続部とは異なる第３接続部３０であって、第１シート部分及び第２シート部分をマスク本体に接続して、マスク本体と第１シート部分と第２シート部分との間にポケット状の折り重ね構造３２を形成する第３接続部３０と、第１接続部、第２接続部及び第３接続部とは異なる第４接続部３４であって、着装帯１６を第２シート部分に接続する第４接続部３４とを備える。【選択図】図１０
2011194067.tif 000002
【特許請求の範囲】
【請求項１】
マスク本体と、該マスク本体に付設される漏れ防止部と、マスク着装に用いられる着装帯とを具備するマスクにおいて、
前記漏れ防止部は、
前記マスク本体に重ね合わせ可能に配置される第１シート部分と、
該第１シート部分を前記マスク本体に接続する第１接続部と、
該第１シート部分に重ね合わせ可能に配置される第２シート部分と、
該第１接続部とは異なる第２接続部であって、該第２シート部分を該第１シート部分に接続する第２接続部と、
該第１接続部及び該第２接続部とは異なる第３接続部であって、該第１シート部分を前記マスク本体に接続する機能、該第２シート部分を前記マスク本体に接続する機能、及び該第２シート部分を該第１シート部分に接続する機能のうちの、少なくとも１つの機能を有して、前記マスク本体と該第１シート部分との間、及び該第１シート部分と該第２シート部分との間の、少なくとも一方に、ポケット状の折り重ね構造を形成する第３接続部と、
前記第１接続部、前記第２接続部及び前記第３接続部とは異なる第４接続部であって、前記着装帯を前記第２シート部分に接続する第４接続部とを具備すること、
を特徴とするマスク。
【請求項２】
前記マスク本体は、側縁と、該側縁にそれぞれ交差する互いに反対側の上縁及び下縁とを有し、該側縁に沿って前記第１接続部が形成され、前記第１シート部分は、前記漏れ防止部の中途に位置する後縁と、該後縁にそれぞれ交差する互いに反対側の上縁及び下縁とを有し、該後縁に沿って前記第２接続部が形成され、前記第２シート部分は、前記漏れ防止部の末端に位置する後縁と、該後縁にそれぞれ交差する互いに反対側の上縁及び下縁とを有する、請求項１に記載のマスク。
【請求項３】
前記第３接続部は、前記第１シート部分の前記上縁を前記マスク本体の前記上縁に接続するとともに、前記第１シート部分の前記下縁を前記マスク本体の前記下縁に接続する、請求項２に記載のマスク。
【請求項４】
前記第３接続部は、前記第２シート部分の前記上縁を前記第１シート部分の前記上縁に接続するとともに、前記第２シート部分の前記下縁を前記第１シート部分の前記下縁に接続する、請求項２又は３に記載のマスク。
【請求項５】
前記マスク本体は、平坦な折り畳み位置と膨出する拡張位置との間で変位可能なプリーツ付部分を備え、前記漏れ防止部は、該プリーツ付部分を該折り畳み位置から該拡張位置に変位させる動作により、前記マスク本体と前記第１シート部分との間及び前記第１シート部分と前記第２シート部分との間の少なくとも一方に形成される前記折り重ね構造が、折り重ね状態から開放状態へ変位する、請求項１〜４のいずれか１項に記載のマスク。
【請求項６】
前記漏れ防止部は、前記着装帯に加わる張力により、前記マスク本体と前記第１シート部分との間及び前記第１シート部分と前記第２シート部分との間の少なくとも一方に形成される前記折り重ね構造が、折り重ね状態から開放状態へ変位する、請求項１〜５のいずれか１項に記載のマスク。
【発明の詳細な説明】
【技術分野】
【０００１】
本発明は、漏れ防止部を備えたマスクに関する。
【背景技術】
【０００２】
医療用や安全衛生用のマスクにおいては、防護性能の一指標である漏れ率を低減（つまり改善）するために、着装時にマスクと顔面との間に形成される隙間を可及的に削減することが要求されている。そこで従来、着装者の口及び鼻を覆うフィルタ素材のマスク本体と、マスク本体の内面又は周縁に設けられ、着装時に顔面に接触して漏れ率を低減する漏れ防止部とを備えたマスクが提案されている。
【０００３】
例えば特許文献１は、顔面を覆う本体部と、本体部に取り付けられた耳掛け紐と、本体部の内面の両側部に設けられ、本体部と顔面との隙間に介在する通気性のシートとを備えたマスクを開示する。特許文献１には、「図２（Ａ）に示すように、この素材シート１１の一方の縁部１１ｂには、縦方向に延びるゴム糸などの弾性材１２が複数本（または１本）縫い込みまたは接着などの手段により固定される。」（段落［００１６］）、「次に図２（Ｂ）に示すように、素材シート１１の前記弾性材１２が取り付けられているのと逆側の縁部１１ａが、本体部２の縫い合わせ部５と同じ工程で一緒に縫い付けられ、素材シート１１の前記縁部１１ａが本体部２に取り付けられる。素材シート１１が前記縫い合わせ部５に縫い付けられる部分を５ａで示している。このとき、素材シート１１の長さ寸法がＨ０からＨ１に縮められ、ギャザー（ひだ）１３を寄せるようにして縫い付けが行われる。さらに図２（Ｃ）に示すように、素材シート１１が折り返され、弾性材１２を有する縁部１１ｂが、縫い付け部５ａ側の縁部１１ａに重ねられ、縁部１１ｂの上下端１４，１４のみが本体部２に縫いつけられて固定される。よって、この補助片１０は立体ギャザー形状となり、本体部２の内面シート２ｂ側が凹状に変形すると、前記弾性材１２の弾性力により、補助片１０が、本体部２の内面から顔面方向へ立体的に立ち上がるようになる（図２（Ｄ）参照）。」（段落［００１７］）と記載されている。
【０００４】
また特許文献２は、通気性を有するシート材を山折り及び谷折りしてギャザーを形成し、ギャザーの両側端部に接着帯を形成してギャザーの各襞を両側端部で一体化したマスクにおいて、接着帯を加熱圧着することにより接着帯の上下端に渡って所定間隔で複数の融着凹部を形成し、接着帯の上端及び下端に耳掛紐の一端及び他端をそれぞれ取り付けたマスクを開示する。特許文献２には、「先ず、マスク上下辺部３、３ａの中央を持って上下方に引き、ギャザー２の襞を引き伸ばした後、耳掛紐７、７ａを両耳にかける。次に、上下辺部３、３ａの鉤状部４、４ａを鼻と顎に覆いかぶせる。すると、マスクの上下は鼻と顎にフィットし、また両側端部は各融着凹部６、６ａ…と、これに隣接する膨部８、８ａ…の境界にて折れ曲がって、恰も細かなギャザーが存するが如く、誠しやかに細かに変形し、頬の形に馴染んで気持ち良くフィットする。」（段落［００１２］）と記載されている。
【先行技術文献】
【特許文献】
【０００５】
【特許文献１】特許第３６８１２２２号
【特許文献２】特開２００７−１６７３４６号公報
【発明の概要】
【発明が解決しようとする課題】
【０００６】
医療用や安全衛生用のマスクに設けられる漏れ防止部は、簡易な構成で安価に作製できること、着装中に漏れ防止部と顔面との接触状態を安定して維持できること、着装時のマスクの外観を損なわない意匠性を有すること等が所望されている。
【課題を解決するための手段】
【０００７】
本発明は、着装時にマスク本体と顔面との間に介在して漏れ率を効果的に低減できる新規な漏れ防止部を備えたマスクを提供するものである。
【０００８】
一態様では、マスク本体と、マスク本体に付設される漏れ防止部と、マスク着装に用いられる着装帯とを具備するマスクにおいて、漏れ防止部は、マスク本体に重ね合わせ可能に配置される第１シート部分と、第１シート部分をマスク本体に接続する第１接続部と、第１シート部分に重ね合わせ可能に配置される第２シート部分と、第１接続部とは異なる第２接続部であって、第２シート部分を第１シート部分に接続する第２接続部と、第１接続部及び第２接続部とは異なる第３接続部であって、第１シート部分をマスク本体に接続する機能、第２シート部分をマスク本体に接続する機能、及び第２シート部分を第１シート部分に接続する機能のうちの、少なくとも１つの機能を有して、マスク本体と第１シート部分との間、及び第１シート部分と第２シート部分との間の、少なくとも一方に、ポケット状の折り重ね構造を形成する第３接続部と、第１接続部、第２接続部及び第３接続部とは異なる第４接続部であって、着装帯を第２シート部分に接続する第４接続部とを具備すること、を特徴とするマスクを提供する。
【発明の効果】
【０００９】
本発明の一態様に係るマスクは、着装者の顔面に着装したときに、漏れ防止部のポケット状の折り重ね構造が、第１接続部、第２接続部及び第３接続部のそれぞれにおける接続形態を維持したままマスク本体と第１シート部分と第２シート部分とが互いに離れるように変位することで、あたかもポケットが膨張するように開放される。それにより漏れ防止部は、膨張したポケット状の形態でマスク本体の外方へ延出し、マスク本体と着装者の顔面との間に介在して、着装者の両頬に接触する。マスク着装中には、第２シート部分に接続された着装帯が、折り重ね構造の開放状態及び漏れ防止部と顔面との接触状態を安定して維持するように作用する。
【００１０】
したがって、本発明の一態様に係るマスクによれば、マスク本体と着装者の顔面との間を通した漏れが漏れ防止部により効果的に阻止され、防護性能の一指標である漏れ率が効果的に低減（つまり向上）される。しかも漏れ防止部は、マスク着装時にマスク本体から延長されてマスク本体と着装者の顔面との間を実質的に塞ぐ形状を有するだけのものであって、マスク本体の形状や寸法を改変するものではないから、マスクの外観を損なわない意匠性を有する。さらに、漏れ防止部は、第１及び第２シート部分を重ね合わせ可能に配置するだけの極めて単純な構造を有しているから、簡易な構成で安価に作製できる。
【図面の簡単な説明】
【００１１】
【図１】本発明の一実施形態によるマスクを平坦な折り畳み位置で示す平面図（外面）である。
【図２】図１のマスクを平坦な折り畳み位置で示す平面図（内面）である。
【図３】図１のマスクを平坦な折り畳み位置で示す斜視図（内面）である。
【図４】図１のマスクを椀状に膨出する拡張位置で示す平面図（外面）である。
【図５】図１のマスクを椀状に膨出する拡張位置で示す斜視図（図４矢印Ｖ方向）である。
【図６】図１のマスクを椀状に膨出する拡張位置で示す斜視図（図４矢印ＶＩ方向）である。
【図７】図１のマスクを椀状に膨出する拡張位置で示す平面図（内面）である。
【図８】図１のマスクを椀状に膨出する拡張位置で示す斜視図（図７矢印ＶＩＩＩ方向）である。
【図９】図１のマスクを椀状に膨出する拡張位置で示す斜視図（図７矢印ＩＸ方向）である。
【図１０】図１のマスクの漏れ防止部を模式図的に示す図で、（ａ）図２矢印Ｘａ−Ｘａに沿った断面図、（ｂ）図２矢印Ｘｂ−Ｘｂに沿った断面図、（ｃ）図２矢印Ｘｃ方向に見た側面図である。
【図１１】図１０の漏れ防止部の変位態様を説明する図で、（ａ）折り重ね構造の折り重ね状態、（ｂ）折り重ね構造の僅かな開放状態、（ｃ）折り重ね構造のさらなる開放状態、（ｄ）折り重ね構造の完全な開放状態を、それぞれ示す。
【図１２】図１０の漏れ防止部の他の変位態様を説明する図で、（ａ）折り重ね構造の折り重ね状態、（ｂ）折り重ね構造の僅かな開放状態、（ｃ）折り重ね構造のさらなる開放状態、（ｄ）折り重ね構造の完全な開放状態を、それぞれ示す。
【図１３】図１０の漏れ防止部の他の変位態様を説明する図で、折り重ね構造の完全な開放状態を示す部分拡大断面図である。
【図１４】図１のマスクを着装者の顔面に着装した状態を示す斜視図で、（ａ）斜め前方から見た図、（ｂ）側方から見た図、（ｃ）斜め後方から見た図である。
【図１５】変形例によるマスクを着装者の顔面に着装した状態を示す斜視図で、（ａ）斜め前方から見た図、（ｂ）側方から見た図、（ｃ）斜め後方から見た図である。
【図１６】漏れ防止部の種々の変形例を示す図である。
【図１７】漏れ防止部の種々の変形例を示す図である。
【図１８】漏れ防止部の種々の変形例を示す図である。
【図１９】プリーツ付部分の種々の変形例を示す図である。
【発明を実施するための形態】
【００１２】
以下、添付図面を参照して、本発明の実施の形態を詳細に説明する。全図面に渡り、対応する構成要素には共通の参照符号を付す。
図１〜図９は、本発明の一実施形態によるマスク１０を示す。マスク１０は、医療用途や安全衛生用途で使用できるものであるが、本発明のマスクの用途は限定されない。
【００１３】
マスク１０は、着装者の口及び鼻（図示せず）を覆うシート状フィルタ素材（例えば不織布、ガーゼ等）からなるマスク本体１２と、マスク本体１２に付設され、マスク着装時に着装者の顔面に接触して、防護性能の一指標である漏れ率を低減（つまり改善）する漏れ防止部１４と、マスク着装に用いられる着装帯１６とを備える。
【００１４】
マスク本体１２は、互いに反対側の左右両側縁１２ａ、１２ｂと、それら側縁１２ａ、１２ｂにそれぞれ交差する互いに反対側の上縁１２ｃ及び下縁１２ｄと、互いに反対側の内面１２ｅ及び外面１２ｆとを有する。マスク１０の適正な使用状態で、マスク本体１２の両側縁１２ａ、１２ｂは着装者の両頬に沿って縦方向へ延びるように配置され、上縁１２ｃは着装者の鼻及び両頬に沿って横方向へ延びるように配置され、下縁１２ｄは着装者の下顎に沿って横方向へ延びるように配置され、内面１２ｅは着装者の鼻及び口に対向して配置され、外面１２ｆは着装者の顔面に対し外向きに配置される。
【００１５】
マスク本体１２は、平坦な折り畳み位置（図１〜図３）と椀状に膨出する拡張位置（図４〜図９）との間で変位可能なプリーツ付部分１８を備えている。プリーツ付部分１８には、マスク本体１２の両側縁１２ａ、１２ｂの間に延びる折り目を有する複数のプリーツ２０が形成される。それらプリーツ２０は、マスク本体１２のシート状フィルタ素材を適当に折り重ねて形成され、折り重なった素材同士がマスク本体１２の両側縁１２ａ、１２ｂに沿った部位で一体的に固着されることにより、プリーツ付部分１８が形成される。プリーツ付部分１８を備えたマスク１０は、マスク保管／運搬時にマスク本体１２を平面視で矩形の平坦形状に畳む（図１〜図３）ことができるとともに、マスク着装時に上縁１２ｃ及び下縁１２ｄが互いに離反する方向へマスク本体１２を拡張して椀状の膨出形状にする（図４〜図９）ことができる。なお、マスク本体１２の上縁１２ｃには、マスク着装時に着装者の鼻及び頬に沿って変形してマスク本体１２の上縁１２ｃと顔面との密着性を向上させる図示しないノーズクリップを設置できる。
【００１６】
漏れ防止部１４は、マスク本体１２の、互いに反対側に位置する一対の側部（つまり両側縁１２ａ、１２ｂに隣接する領域）の双方に設けられる。なお、マスク１０の用途等に応じて、漏れ防止部１４を、マスク本体１２の、互いに反対側に位置する一対の側部のいずれか一方に設けることもできる。マスク本体１２の両側部に設けられる漏れ防止部１４は、互いに同一の構成を有する。なお、マスク本体１２の両側部に設けられる漏れ防止部１４を、互いに異なる構成とすることもできる。以下、マスク本体１２の一方の側縁１２ａに隣接する漏れ防止部１４の構成を、図１０を参照して説明する。なお図１０は、プリーツ付部分１８が折り畳み位置にあるときの漏れ防止部１４の構成を模式図的に示すものであり、理解を助けるために、マスク本体１２と第１シート部分２２と第２シート部分２６とを互いに若干離隔させて描いているが、それらは互いに接触していてもよい。
【００１７】
漏れ防止部１４は、マスク本体１２に重ね合わせ可能に配置される第１シート部分２２と、第１シート部分２２をマスク本体１２に接続する第１接続部２４と、第１シート部分２２に重ね合わせ可能に配置される第２シート部分２６と、第１接続部２４とは異なる第２接続部２８であって、第２シート部分２６を第１シート部分２２に接続する第２接続部２８と、第１接続部２４及び第２接続部２８とは異なる第３接続部３０であって、第１シート部分２２をマスク本体１２に接続する機能、第２シート部分２６をマスク本体１２に接続する機能、及び第２シート部分２６を第１シート部分２２に接続する機能のうちの、少なくとも１つの機能を有して、マスク本体１２と第１シート部分２２との間、及び第１シート部分２２と第２シート部分２６との間の、少なくとも一方に、ポケット状の折り重ね構造３２を形成する第３接続部３０と、第１接続部２４、第２接続部２８及び第３接続部３０とは異なる第４接続部３４であって、着装帯１６を第２シート部分２６に接続する第４接続部３４とを備えて構成される。
【００１８】
図示構成では、漏れ防止部１４は、平面視で矩形のシート素材を二つ折りに折り畳んだ形態を有する。したがって、第１シート部分２２と第２シート部分２６とは、互いに一体に作製されて、第２接続部２８で互いに連接されている。なお、第２接続部２８は、折り目を有していてもよいし有していなくてもよい。他方、マスク本体１２と第１シート部分２２とは、互いに別体に作製されて、第１接続部２４により互いに固定されている。また、第２シート部分２６と着装帯１６とは、互いに別体に作製されて、第４接続部３４により互いに固定されている。
【００１９】
漏れ防止部１４は、上記以外の様々な形態を有することができる。例えば、マスク本体１２と第１シート部分２２とを、互いに一体に作製して、折り目となる第１接続部２４で互いに連接する構成とすることができる。また、第１シート部分２２と第２シート部分２６とを、互いに別体に作製して、第２接続部２８により互いに固定する構成とすることができる。また、第２シート部分２６と着装帯１６とを、互いに一体に作製して、第４接続部３４で互いに連接する構成とすることができる。漏れ防止部１４の他の種々の変形形態については後述する。
【００２０】
第１シート部分２２は、マスク本体１２の側縁１２ａに沿って配置される前縁２２ａと、前縁２２ａの反対側で漏れ防止部１４の中途に位置する後縁２２ｂと、前縁２２ａ及び後縁２２ｂの双方にそれぞれ交差する互いに反対側の上縁２２ｃ及び下縁２２ｄと、互いに反対側の内面２２ｅ及び外面２２ｆとを有する。第１シート部分２２の前縁２２ａ及び後縁２２ｂは、マスク本体１２の側縁１２ａと略同一の長さを有し、第１シート部分２２の上縁２２ｃ及び下縁２２ｄはそれぞれ、マスク本体１２の上縁１２ｃ及び下縁１２ｄよりも十分に短い長さを有する。第１シート部分２２は、その前縁２２ａ、上縁２２ｃ及び下縁２２ｄを、マスク本体１２の側縁１２ａの全体、側縁１２ａに隣接する上縁１２ｃの一部分及び側縁１２ａに隣接する下縁１２ｄの一部分にそれぞれ実質的に揃えた状態で、内面２２ｅをマスク本体１２の内面１２ｅに対向させて、マスク本体１２の側縁１２ａに沿った領域に重ね合わせて配置される。
【００２１】
第１接続部２４は、マスク本体１２の側縁１２ａ及び第１シート部分２２の前縁２２ａに沿って形成されて、第１シート部分２２の前縁２２ａをマスク本体１２の側縁１２ａに固定する。図示構成では、第１接続部２４は、マスク本体１２の側縁１２ａ及び第１シート部分２２の前縁２２ａの全長に渡って形成され、第１接続部２４を通した漏れの発生を防止している。なお、第１接続部２４の存在による漏れ率の悪化を許容範囲に抑制できることを前提として、マスク本体１２の側縁１２ａ及び第１シート部分２２の前縁２２ａに沿って分散配置される複数の第１接続部２４を形成することもできる。
【００２２】
第２シート部分２６は、第１シート部分２２の後縁２２ｂに沿って配置される前縁２６ａと、前縁２６ａの反対側で漏れ防止部１４の末端に位置する後縁２６ｂと、前縁２６ａ及び後縁２６ｂの双方にそれぞれ交差する互いに反対側の上縁２６ｃ及び下縁２６ｄと、互いに反対側の内面２６ｅ及び外面２６ｆとを有する。第２シート部分２６の前縁２６ａ及び後縁２６ｂは、第１シート部分２２の後縁２２ｂと略同一の長さを有し、第２シート部分２６の上縁２６ｃ及び下縁２６ｄはそれぞれ、第１シート部分２２の上縁２２ｃ及び下縁２２ｄと略同一の長さを有する。第２シート部分２６は、その前縁２６ａ、上縁２６ｃ及び下縁２６ｄを、第１シート部分２２の後縁２２ｂの全体、上縁２２ｃの全体及び下縁２２ｄの全体にそれぞれ実質的に揃えた状態で、外面２６ｆを第１シート部分２２の外面２２ｆに対向させて、第１シート部分２２の全体に重ね合わせて配置される。
【００２３】
第２接続部２８は、第１シート部分２２の後縁２２ｂ及び第２シート部分２６の前縁２６ａに沿って形成されて、第２シート部分２６の前縁２６ａを第１シート部分２２の後縁２２ｂに接続する。図示構成では、第２接続部２８は、第１シート部分２２の後縁２２ｂ及び第２シート部分２６の前縁２６ａの全長に渡って形成され、第２接続部２８を通した漏れの発生を防止している。なお、第２接続部２８の存在による漏れ率の悪化を許容範囲に抑制できることを前提として、第１シート部分２２の後縁２２ｂ及び第２シート部分２６の前縁２６ａに沿って分散配置される複数の第２接続部２８を形成することもできる。
【００２４】
第３接続部３０は、マスク本体１２の上縁１２ｃの一部分、第１シート部分２２の上縁２２ｃ及び第２シート部分２６の上縁２６ｃに沿って形成される。また、もう１つの第３接続部３０が、マスク本体１２の下縁１２ｄの一部分、第１シート部分２２の下縁２２ｄ及び第２シート部分２６の下縁２６ｄに沿って形成される。それら第３接続部３０は、マスク本体１２の上縁１２ｃの一部分と第１シート部分２２の上縁２２ｃと第２シート部分２６の上縁２６ｃとを互いに接続（固定）するとともに、マスク本体１２の下縁１２ｄの一部分と第１シート部分２２の下縁２２ｄと第２シート部分２６の下縁２６ｄとを互いに接続（固定）する。
【００２５】
図示構成では、マスク本体１２の上縁１２ｃの一部分、第１シート部分２２の上縁２２ｃ及び第２シート部分２６の上縁２６ｃの全長に渡って１つの第３接続部３０が形成されるとともに、マスク本体１２の下縁１２ｄの一部分、第１シート部分２２の下縁２２ｄ及び第２シート部分２６の下縁２６ｄの全長に渡って他の第３接続部３０が形成され、各第３接続部３０を通した漏れの発生を防止している。なお、第３接続部３０の存在による漏れ率の悪化を許容範囲に抑制できることを前提として、マスク本体１２の上縁１２ｃの一部分、第１シート部分２２の上縁２２ｃ及び第２シート部分２６の上縁２６ｃに沿って分散配置される複数の第３接続部３０を形成することもできる。同様に、マスク本体１２の下縁１２ｄの一部分、第１シート部分２２の下縁２２ｄ及び第２シート部分２６の下縁２６ｄに沿って分散配置される複数の第３接続部３０を形成することもできる。
【００２６】
なお、図示構成に代えて、第１シート部分２２の上縁２２ｃをマスク本体１２の上縁１２の一部分のみに接続する第３接続部３０と、第１シート部分２２の下縁２２ｄをマスク本体１２の下縁１２ｄの一部分のみに接続する第３接続部３０とを備える構成とすることもできる。この構成では、ポケット状の折り重ね構造３２は、マスク本体１２と第１シート部分２２との間のみに形成され、第１シート部分２２と第２シート部分２６との間には形成されない。
【００２７】
また、第２シート部分２６の上縁２６ｃをマスク本体１２の上縁１２の一部分のみに接続する第３接続部３０と、第２シート部分２６の下縁２６ｄをマスク本体１２の下縁１２ｄの一部分のみに接続する第３接続部３０とを備える構成とすることもできる。この構成では、ポケット状の折り重ね構造３２は、図示構成と同様に、マスク本体１２と第１シート部分２２との間、及び第１シート部分２２と第２シート部分２６との間の双方に形成される。
【００２８】
また、第２シート部分２６の上縁２６ｃを第１シート部分２２の上縁２２ｃのみに接続する第３接続部３０と、第２シート部分２６の下縁２６ｄを第１シート部分２２の下縁２２ｄのみに接続する第３接続部３０とを備える構成とすることもできる。この構成では、ポケット状の折り重ね構造３２は、第１シート部分２２と第２シート部分２６との間のみに形成され、マスク本体１２と第１シート部分２２との間には形成されない。
【００２９】
第４接続部３４は、第２シート部分２６の後縁２６ｂに近接し、かつ第２シート部分２６の上縁２６ｃ及び下縁２６ｄのそれぞれに近接する２箇所に形成されて、紐状の着装帯１６の両端１６ａを個別に第２シート部分２６に固定する。各第４接続部３４は、マスク本体１２を着装者の顔面上で安定して保持できるとともに、漏れ防止部１４の折り重ね構造３２を下記のように変位させるための張力を第２シート部分２６に安定して加えることができる位置に、適宜形成される。
【００３０】
ここで本発明において、「第１接続部とは異なる第２接続部」、「第１接続部及び第２接続部とは異なる第３接続部」、「第１接続部、第２接続部及び第３接続部とは異なる第４接続部」という事項は、位置、寸法、構造等の物理的条件の相違性を包含しているが、少なくとも位置の相違を必須要件とするものである。また、「第１接続部、第２接続部及び第３接続部」は、それらの協働により「ポケット状の折り重ね構造」を形成可能な位置、寸法、構造等を有するものである。
【００３１】
マスク１０の漏れ防止部１４は、マスク着装に際し、図１０に示す略平坦な折り重ね状態から、マスク本体１２の内面１２ｅに対し立ち上がる開放状態へ変位して、マスク本体１２の側方へ延出し、その状態で着装者の両頬に接触することにより、マスク本体１２の両側縁１２ａ、１２ｂと着装者の両頬との間を通した漏れを低減するように作用する。以下、図１１〜図１４を参照して、このような漏れ防止部１４の特徴的な変位態様を説明する。
【００３２】
漏れ防止部１４は、マスク本体１２のプリーツ付部分１８を折り畳み位置（図１〜図３）から拡張位置（図４〜図９）に変位させる動作により、マスク本体１２と第１シート部分２２との間及び第１シート部分２２と第２シート部分２６との間に形成される折り重ね構造３２（図１０）が、略平坦な折り重ね状態（図１１（ａ））からマスク本体１２の内面１２ｅに対し立ち上がる開放状態（図１１（ｄ））へ変位することができる。
【００３３】
詳述すれば、まず、マスク本体１２のプリーツ付部分１８が折り畳み位置（図１〜図３）にあるときは、漏れ防止部１４の各折り重ね構造３２は、前述したようにマスク本体１２と第１シート部分２２と第２シート部分２６とが互いに重なり合った略平坦な折り重ね状態を呈する（図１１（ａ））。この状態から、マスク本体１２の上縁１２ｃ及び下縁１２ｄ（図１）が互いに離反する方向へ、マスク本体１２を僅かに拡張すると、プリーツ付部分１８が内面１２ｅを凹として僅かに椀状に変形する。それに伴い、マスク本体１２の内面１２ｅと第１シート部分２２の内面２２ｅとの間隔が僅かに広がって、マスク本体１２と第１シート部分２２との間の折り重ね構造３２が、第１接続部２４及び第３接続部３０のそれぞれにおける接続形態を維持したまま、あたかもポケットが膨張するように僅かに開放される（図１１（ｂ））。
【００３４】
このとき同時に、内面１２ｅの湾曲に追従してマスク本体１２の側縁１２ａ（図１０）と第１シート部分２２の前縁２２ａ（図１０）とが僅かに湾曲し、マスク本体１２の上縁１２ｃと下縁１２ｄとの空間距離、及び第１シート部分２２の上縁２２ｃ（図１０）と下縁２２ｄ（図１０）との空間距離が、側縁１２ａ及び前縁２２ａに隣接する領域では僅かに狭まる。それに伴い、第２シート部分２６の上縁２６ｃ（図１０）と下縁２６ｄ（図１０）との空間距離も、後縁２６ｂに隣接する領域で僅かに狭まる。その結果、第２シート部分２６が外面２６ｆ（図１０）を凹として自動的に湾曲し、第１シート部分２２の外面２２ｆ（図１０）と第２シート部分２６の外面２６ｆとの間隔が僅かに広がって、第１シート部分２２と第２シート部分２６との間の折り重ね構造３２が、第２接続部２８及び第３接続部３０のそれぞれにおける接続形態を維持したまま、あたかもポケットが膨張するように僅かに開放される（図１１（ｂ））。
【００３５】
この状態から、マスク本体１２をさらに、上縁１２ｃ及び下縁１２ｄが互いに離反する方向へ拡張すると、上記と同様の原理で、マスク本体１２と第１シート部分２２との間の折り重ね構造３２、及び第１シート部分２２と第２シート部分２６との間の折り重ね構造３２が、第１接続部２４、第２接続部２８及び第３接続部３０のそれぞれにおける接続形態を維持したまま、ポケットが膨張するようにさらに開放される（図１１（ｃ））。この状態から、マスク本体１２を、プリーツ付部分１８が椀状の拡張位置（図４〜図９）に至るまで十分に拡張すると、上記と同様の原理で、マスク本体１２と第１シート部分２２との間の折り重ね構造３２、及び第１シート部分２２と第２シート部分２６との間の折り重ね構造３２が、第１接続部２４、第２接続部２８及び第３接続部３０のそれぞれにおける接続形態を維持したまま、いずれもポケットが膨張するように十分に開放されて、マスク本体１２の内面１２ｅに対し立ち上がる開放状態を呈する（図１１（ｄ）、図１３）。
【００３６】
上記した変位態様に加えて、又はその代わりに、漏れ防止部１４は、着装帯１６に加わる張力により、マスク本体１２と第１シート部分２２との間及び第１シート部分２２と第２シート部分２６との間に形成される折り重ね構造３２（図１０）が、略平坦な折り重ね状態（図１２（ａ））からマスク本体１２の内面１２ｅに対し立ち上がる開放状態（図１２（ｄ））へ変位することができる。
【００３７】
詳述すれば、まず、マスク本体１２のプリーツ付部分１８が折り畳み位置（図１〜図３）にあるときは、漏れ防止部１４の各折り重ね構造３２は、前述したようにマスク本体１２と第１シート部分２２と第２シート部分２６とが互いに重なり合った略平坦な折り重ね状態を呈する（図１２（ａ））。この状態から、マスク本体１２の外面１２ｆから内面１２ｅに向かう方向へ、着装帯１６に僅かに張力Ｆを加えると、第２シート部分２６が着装体１６に引っ張られて第１シート部分２２の外面２２ｆ（図１０）と第２シート部分２６の外面２６ｆ（図１０）との間隔が僅かに広がり、第１シート部分２２と第２シート部分２６との間の折り重ね構造３２が、第１接続部２４及び第３接続部３０のそれぞれにおける接続形態を維持したまま、あたかもポケットが膨張するように僅かに開放される（図１２（ｂ））。同時に、第１シート部分２２が第２シート部分２６に引っ張られてマスク本体１２の内面１２ｅ（図１０）と第１シート部分２２の内面２２ｅ（図１０）との間隔が僅かに広がり、マスク本体１２と第１シート部分２２との間の折り重ね構造３２が、第２接続部２８及び第３接続部３０のそれぞれにおける接続形態を維持したまま、あたかもポケットが膨張するように僅かに開放される（図１２（ｂ））。
【００３８】
この状態から、着装帯１６にさらに張力Ｆを加えると、上記と同様の原理で、第１シート部分２２と第２シート部分２６との間の折り重ね構造３２、及びマスク本体１２と第１シート部分２２との間の折り重ね構造３２が、第１接続部２４、第２接続部２８及び第３接続部３０のそれぞれにおける接続形態を維持したまま、ポケットが膨張するようにさらに開放される（図１２（ｃ））。この状態から、着装帯１６に、着装者がマスク１０を顔面に着装したときに加わる張力に匹敵する張力Ｆを加えると、上記と同様の原理で、第１シート部分２２と第２シート部分２６との間の折り重ね構造３２、及びマスク本体１２と第１シート部分２２との間の折り重ね構造３２が、第１接続部２４、第２接続部２８及び第３接続部３０のそれぞれにおける接続形態を維持したまま、いずれもポケットが膨張するように十分に開放されて、マスク本体１２の内面１２ｅに対し立ち上がる開放状態を呈する（図１２（ｄ）、図１３）。
【００３９】
図１４に示すように、マスク１０を適正な使用状態で着装者の顔面に着装すると、マスク本体１２のプリーツ付部分１８が着装者の鼻及び口を覆う拡張位置に配置される（図１４（ａ））とともに、着装者の耳に掛けた着装帯１６から第４接続部３４（図１０）を経て第２シート部分２６に加わる張力Ｆ（図１４（ｂ））により、漏れ防止部１４の折り重ね構造３２（図１０）が上記した開放状態を呈する。折り重ね構造３２が開放状態にある漏れ防止部１４は、膨張したポケット状の形態でマスク本体１２の側方へ延出し、マスク本体１２の両側縁１２ａ、１２ｂ（図１）と着装者の両頬との間に介在して、ある程度の形状保持性を発揮しながら両頬に接触する（図１４（ｃ））。マスク着装中には、第２シート部分２６に接続された着装帯１６の張力Ｆが、漏れ防止部１４の実質的全体に行き渡り、折り重ね構造３２の開放状態及び漏れ防止部１４と顔面との接触状態を安定して維持するように作用する。
【００４０】
したがって、マスク１０によれば、マスク本体１２の両側縁１２ａ、１２ｂ（図１）と着装者の両頬との間を通した漏れが漏れ防止部１４により効果的に阻止され、防護性能の一指標である漏れ率が効果的に低減（つまり向上）される。しかも漏れ防止部１４は、マスク１０の適正な着装状態で、マスク本体１２の両側縁１２ａ、１２ｂから延長されて両側縁１２ａ、１２ｂと着装者の両頬との間を実質的に塞ぐ形状を有するだけのものであって、マスク本体１２の形状や寸法を改変するものではないから、マスク１０の外観を損なわない意匠性を有する。さらに、漏れ防止部１４は、第１及び第２シート部分２２、２６を折り重ね可能に配置するだけの極めて単純な構造を有しているから、簡易な構成で安価に作製できる。
【００４１】
本発明に係るマスクは、上記以外の様々な構成を有することができる。
例えば、プリーツ付部分を有さない単純構造のマスク本体を備えたマスク（例えばガーゼマスクとして知られている）にも、本発明を適用できる。図１５は、この種のマスク１０′の使用形態を示す。なおマスク１０′は、プリーツ付部分１８を有さない単純構造のマスク本体１２′を備えている点以外は、前述したマスク１０と実質的同一の構成を有するので、対応する構成要素には共通する符号を付してその説明を省略する。
【００４２】
マスク１０′を適正な使用状態で着装者の顔面に着装すると、マスク本体１２′が着装者の鼻及び口を覆った状態（図１５（ａ））で、着装者の耳に掛けた着装帯１６に張力Ｆが生じる（図１５（ｂ））。したがって、漏れ防止部１４の折り重ね構造３２（図１０）が、着装帯１６に加わる張力Ｆにより前述した開放状態を呈し、漏れ防止部１４がマスク本体１２の側方へ延出して着装者の両頬に接触する（図１５（ｃ））。マスク着装中には、第２シート部分２６に接続された着装帯１６の張力Ｆが、漏れ防止部１４の実質的全体に行き渡るので、折り重ね構造３２の開放状態及び漏れ防止部１４と顔面との接触状態が安定して維持される。したがって、マスク１０′によっても、マスク本体１２′の両側縁１２ａ、１２ｂ（図１）と着装者の両頬との間を通した漏れが阻止され、防護性能の一指標である漏れ率が効果的に低減（つまり向上）される。しかも、漏れ防止部１４は、マスク１０′の適正な着装状態で、マスク本体１２′の両側縁１２ａ、１２ｂから延長されて両側縁１２ａ、１２ｂと着装者の両頬との間を実質的に塞ぐ形状を有するだけのものであって、マスク本体１２′の形状や寸法を改変するものではないから、マスク１０′の外観を損なわない意匠性を有する。さらに、漏れ防止部１４は、シート素材を折り畳んだ形態の極めて単純な構造を有しているから、簡易な構成で安価に作製できる。
【００４３】
図１６は、本発明のマスクで採用可能な漏れ防止部１４の種々の形態を示す。例えば漏れ防止部１４として、第１シート部分２２と第２シート部分２６とが実質的に同一の寸法及び形状を有する形態（図１６（ａ））、第１シート部分２２が第２シート部分２６よりも大きな寸法及び形状を有する形態（図１６（ｂ））、又は第１シート部分２２が第２シート部分２６よりも小さな寸法及び形状を有する形態（図１６（ｃ））を採用できる。また、第１接続部２４及び第２接続部２８の位置が、前述した構成とは反対（つまり二つ折りの折り畳み方向が反対）の形態（図１６（ｄ））を採用することもできる。また、既述のように、第３接続部３０がマスク本体１２と第１シート部分２２との間のみを接続する形態（図１６（ｅ））や、第３接続部３０が第１シート部分２２と第２シート部分２６との間のみを接続する形態（図１６（ｆ））を採用することもできる。また、第２接続部２８が、第１シート部分２２の前縁２２ａ及び後縁２２ｂ（図１０）以外の中途部位に形成される形態（図１６（ｇ））や、第２シート部分２６の前縁２６ａ及び後縁２６ｂ（図１０）以外の中途部位に形成される形態（図１６（ｈ））を採用することもできる。
【００４４】
漏れ防止部１４は、三つ折り以上の多重折りの形態を有することもできる（図１６（ｉ））。この形態では、第１接続部２４と第１シート部分２２との間、及び第２接続部２８と第２シート部分２６との間の、少なくとも一方に介在して、マスク本体１２、第１シート部分２２及び第２シート部分２６に折り重ね可能に配置される追加シート部分３６が設けられる。追加シート部分３６は、第２接続部２８と同様の折り目状の接続部を介することで、複数個連接させることもできる。これらいずれの形態を有する漏れ防止部１４によっても、前述した格別の効果が奏される。
【００４５】
図１７は、本発明のマスクで採用可能な漏れ防止部１４の第２シート部分２６の種々の形態を示す。第２シート部分２６の後縁２６ｂは、漏れ防止部１４の末端に位置するので、その形状が漏れ率の低減に直接的に影響を及ぼすことが予測される。例えば、第２シート部分２６の後縁２６ｂに、複数のスリット３８を形成することができる（図１７（ａ））。この形態によれば、スリット３８で分割された第２シート部分２６の複数の短冊状小片が、個々に着装者の顔面に沿うように接触するので、第２シート部分２６と着装者の顔面との密着性を向上させることができる。また、着装者の使用感や意匠性を向上させるべく、第２シート部分２６の後縁２６ｂに切欠き４０を設けたり（図１７（ｂ）、（ｃ））、後縁２６ｂを凹曲線状（図１７（ｄ）、（ｅ））に形成したり凸曲線状（図１７（ｆ）、（ｇ））に形成したりすることもできる。
【００４６】
図１８は、本発明のマスクで採用可能な漏れ防止部１４の第３接続部３０の種々の形態を示す。なお図１８は、漏れ防止部１４を、第３接続部３０を非接続状態とした展開位置で示している。第３接続部３０は、マスク本体１２の上縁１２ｃ及び下縁１２ｄ（図１０）の一部分、第１シート部分２２の上縁２２ｃ及び下縁２２ｄ（図１０）、並びに第２シート部分２６の上縁２６ｃ及び下縁２６ｄ（図１０）に沿って形成される前述した形態（図１８（ａ））に限らず、それら上縁１２ｃ、２２ｃ、２６ｃ及び下縁１２ｄ、２２ｄ、２６ｄから離れた位置に形成されてもよい。例えば、図１６（ｅ）の漏れ防止部１４において、マスク本体１２と第１シート部分２２との間に形成される第３接続部３０は、上縁１２ｃ、２２ｃ及び下縁１２ｄ、２２ｄから離れて斜めに直線状に延びる形態（図１８（ｂ））や、上縁１２ｃ、２２ｃ及び下縁１２ｄ、２２ｄから離れて曲線状に延びる形態（図１８（ｃ））を採用できる。同様に、図１６（ｆ）の漏れ防止部１４において、第１シート部分２２と第２シート部分２６との間に形成される第３接続部３０は、上縁２２ｃ、２６ｃ及び下縁２２ｄ、２６ｄから離れて斜めに直線状に延びる形態（図１８（ｄ））や、曲線状に延びる形態（図示せず）を採用できる。また、図１６（ａ）の漏れ防止部１４において、マスク本体１２と第１シート部分２２と第２シート部分２６との間に形成される第３接続部３０は、上縁１２ｃ、２２ｃ、２６ｃ及び下縁１２ｄ、２２ｄ、２６ｄから離れて斜めに直線状に延びる形態（図１８（ｅ））や、曲線状に延びる形態（図示せず）を採用できる。さらに、図１８（ｆ）に示すように、マスク本来の機能を損なわない範囲で、第３接続部３０が形成されるマスク本体１２の上縁１２ｃ及び下縁１２ｄの一部分、第１シート部分２２の上縁２２ｃ及び下縁２２ｄ、並びに第２シート部分２６の上縁２６ｃ及び下縁２６ｄを、斜めに形成することもできる。
【００４７】
図１９は、本発明のマスクで採用可能なマスク本体１２のプリーツ付部分１８の種々の形態を示す。なおプリーツ付部分１８の形態自体は、漏れ防止部１４の機能に影響を及ぼさない。プリーツ付部分１８としては、いわゆるオメガ状の形態（図１９（ａ）、（ｂ））やルーバー状の形態（図１９（ｃ）、（ｄ））を採用できる。
【００４８】
本発明のマスクで採用可能な着装帯１６は、図示の耳掛け式のものに限定されず、着装者の首や頭に取り付ける結び止め式のものであってもよい。また着装帯１６は、ゴムのような弾性を有していてもよいし有していなくてもよい。いずれの構成においても、着装帯１６は、漏れ防止部１４の折り重ね構造３２を開放位置に安定して保持し得る引張り力を発生できることが望ましい。
【００４９】
本発明に係るマスクは、様々な素材から作製できる。
例えば、漏れ防止部１４の第１シート部分２２及び第２シート部分２６は、樹脂フィルム、不織布、又は両者の組み合わせから作製できる。フィルムと不織布とを積層した素材を用いれば、少なくとも不織布を第１シート部分２２及び第２シート部分２６の内面２２ｅ、２６ｅに配置することで、漏れ防止部１４の肌触りが良くなり、着装者の使用感が向上する。この場合、不織布に所望の加工を施して、肌触りの向上、化粧落ちの防止等を実現することもできる。他方、フィルタ素材として使用可能な不織布を用いた場合は、マスク全体の濾過面積が増加するので、呼吸が楽になる。樹脂フィルムや不織布の材料としては、ポリエステル、ポリエチレン、ナイロン、ポリプロピレン、アクリル、ポリウレタン、ポリビニル等を採用できる。樹脂フィルムの製法としては、溶融押出成形法、溶液流延法、カレンダー成形法等を採用でき、不織布の製法としては、スパンボンド、メルトブローン、スパンデックス、ニードルパンチ、スパンレース、サーマルボンド、レジンボンド、ケミカルボンド、ステッチボンド等を採用できる。
【００５０】
本発明に係るマスクは、様々な方法で作製できる。
例えば、第１シート部分２２及び第２シート部分２６を一体に有するシート素材を二つ折りに折り畳み、それらの上縁２２ｃ、２６ｃ同士及び下縁２２ｄ、２６ｄ同士を第３接続部３０で固定したものを、漏れ防止部１４の成形品として用意し、別途作製したマスク本体１２の側縁１２ａ（１２ｂ）及び上下縁１２ｃ、１２ｄに、漏れ防止部１４（成形品）を第１接続部２４及び第３接続部３０で固定し、第２シート部分２６に着装帯１６を固定することにより、マスク１０を作製できる。
【００５１】
また、第１シート部分２２及び第２シート部分２６を一体に有する長尺のシート素材を用意し、別途作製したマスク本体１２の側縁１２ａ（１２ｂ）にシート素材の縁（第１シート部分２２の前縁２２ａになる部位）を第１接続部２４で固定し、シート素材を第２接続部２８で二つ折りに折り畳んだ後に、シート素材の上下縁（第１及び第２シート部分２２、２６の上縁２２ｃ、２６ｃ及び下縁２２ｄ、２６ｄになる部位）をマスク本体１２の上下縁１２ｃ、１２ｄに第３接続部３０で固定し、長尺のシート素材の余剰部分を切除し、第２シート部分２６に着装帯１６を固定することにより、マスク１０を作製できる。
【００５２】
第１接続部２４、第２接続部２８、第３接続部３０及び第４接続部３４を構成する固定手法としては、接着剤等による接着、両面テープ等による粘着、ミシン等による縫着、超音波融着、ヒートシール等を採用できる。また、第１接続部２４、第２接続部２８、第３接続部３０及び第４接続部３４を構成する固定部分は、線状に形成することでシール性を向上させることができ、或いは点状に形成することで柔軟性を向上させることができる。
【符号の説明】
【００５３】
１０    マスク
１２    マスク本体
１４    漏れ防止部
１６    着装帯
１８    プリーツ付部分
２２    第１シート部分
２４    第１接続部
２６    第２シート部分
２８    第２接続部
３０    第３接続部
３２    折り重ね構造
３４    第４接続部
【図１】
2011194067.tif 000003
【図２】
2011194067.tif 000004
【図３】
2011194067.tif 000005
【図４】
2011194067.tif 000006
【図５】
2011194067.tif 000007
【図６】
2011194067.tif 000008
【図７】
2011194067.tif 000009
【図８】
2011194067.tif 000010
【図９】
2011194067.tif 000011
【図１０】
2011194067.tif 000012
【図１１】
2011194067.tif 000013
【図１２】
2011194067.tif 000014
【図１３】
2011194067.tif 000015
【図１４】
2011194067.tif 000016
【図１５】
2011194067.tif 000017
【図１６】
2011194067.tif 000018
【図１７】
2011194067.tif 000019
【図１８】
2011194067.tif 000020
【図１９】
2011194067.tif 000021